(57)【特許請求の範囲】
【請求項１】
洗浄水を貯水する貯水部(10)と、洗浄水を加熱する加熱手段(H)と、前記貯水部(10)に連通連結するポンプ(P)と、同ポンプ(P)を介して洗浄水を噴出するノズル部(4)を着脱自在に装着するノズル装着部(9)と、前記ポンプ(P)の作動スイッチ(71)とを具備する衛生洗浄装置であって、
前記ノズル部(4)内に洗浄水通路(R)を形成し、同洗浄水通路(R)内に開閉弁(J)を配設するとともに、同開閉弁(J)を作動させるレバー(44)を設け、前記ノズル装着部(9)には、ノズル部(4)の先端に形成した噴出口(4a)を前記貯水部(10)内に向けて挿入可能としたノズル挿入孔(61)と、同ノズル挿入孔(61)に前記噴出口(4a)を挿入した装着姿勢において前記レバー(44)を開弁作動位置で保持するレバー保持部(60a)とを設けたことを特徴とする衛生洗浄器。
【請求項２】
前記ノズル部(4)は、洗浄水を霧状あるいはシャワー状に噴出可能としたことを特徴とする請求項１記載の衛生洗浄器。
【発明の詳細な説明】
【０００１】
【発明の属する技術分野】
この発明は、衛生洗浄器に関する。
【０００２】
【従来の技術】
従来、肛門などの局部を洗浄する衛生洗浄器として、貯水タンクとポンプと洗浄ノズルとを便座に一体的に組み込んだものが一般によく知られているが、かかる構成では便器上でしか使用できないために使用形態が制限されていた。
【０００３】
そこで、トイレ以外の場所でも使用できるように、例えば、実公昭56-5486 号では、ポンプを内蔵する本体ケースの中央部に貯水槽を着脱自在に配設する凹部を設け、同凹部の両側に空洞部を設けて各空洞部にそれぞれ電池収納部とノズル部収納部とを設けた可搬形の衛生洗浄器が開示された。
【０００４】
【発明が解決しようとする課題】
ところが、上記した小型可搬形の衛生洗浄器は、使用者自身の局部洗浄を主たる目的としているので、例えば、介護を要する老齢者や乳幼児などを使用対象とすると、どうしても使い勝手が悪いものとなっていた。
【０００５】
すなわち、かかる衛生洗浄器は、本体ケースの貯水槽両側に電池収納部とノズル部収納部とを設けているために横幅方向に広がる形状とならざるを得ず、十分な小型化までには至っていない。
【０００６】
したがって、ベッドに伏した状態であることの多い上記老齢者や乳幼児を使用対象とする場合、上記構成の洗浄器ではこれを載置スペースの狭いベッド脇やベッド上に置くことが難しい。
【０００７】
また、使用者自身の局部洗浄を目的としているために、ノズル部からの吐水が水勢の強いストレートな噴水となっているので、水はねが多く、しかも、洗浄時にオムツを敷いたとしても、洗浄水量がオムツの吸水限度を越えてしまうおそれがあって、実際には上記した横臥状態の使用対象者には用いることができないものであった。
【０００８】
しかも、洗浄水を加熱する手段がないので、老齢者や乳幼児の局部洗浄にはきわめて不適当である。
【０００９】
本発明は、上記課題を解決することのできる衛生洗浄器を提供することを目的としている。
【００１０】
【課題を解決するための手段】
上記課題を解決するために、請求項１に係る本発明では、洗浄水を貯水する貯水部と、洗浄水を加熱する加熱手段と、前記貯水部に連通連結するポンプと、同ポンプを介して洗浄水を噴出するノズル部を着脱自在に装着するノズル装着部と、前記ポンプの作動スイッチとを具備する衛生洗浄装置であって、前記ノズル部内に洗浄水通路を形成し、同洗浄水通路内に開閉弁を配設するとともに、同開閉弁を作動させるレバーを設け、前記ノズル装着部には、ノズル部の先端に形成した噴出口を前記貯水部内に向けて挿入可能としたノズル挿入孔と、同ノズル挿入孔に前記ノズルの噴出口を挿入した装着姿勢において前記レバーを開弁作動位置で保持するレバー保持部とを設けた。
【００１１】
したがって、衛生洗浄器自体を著しくコンパクト化でき、載置スペースに制限されることなく使用可能となる。
【００１３】
また、適温に温められた肌にやさしい温水で局部洗浄が可能となり、介護を要する老齢者や乳幼児の局部洗浄などに適するとともに、冬場であっても安心して使用することができる。
【００１４】
しかも、ノズル部内の加熱されていない洗浄水は、使用前に予め貯水部内に捨水することができるので、使い始めから適温の洗浄水を使用することができる。
【００１５】
請求項２記載の本発明では、前記請求項におけるノズル部は、洗浄水を霧状あるいはシャワー状に噴出可能とした。
【００１６】
したがって、少ない洗浄水で、近距離から広範囲の洗浄が可能となり、例えば洗浄対象の下方にオムツ等を敷いておけばかかるオムツの吸水限度内で十分な局部洗浄が可能となる。
【００１７】
【発明の実施の形態】
本発明に係る衛生洗浄器は、洗浄水を貯水する貯水部と、同貯水部に連通連結するポンプと、同ポンプを介して洗浄水を噴出するノズル部とを具備する衛生洗浄装置であって、前記ノズル部の先端に形成した噴出口と前記貯水部とを連通させた状態でノズル部を保持可能としたものである。
【００１８】
したがって、衛生洗浄器自体を著しくコンパクト化することができ、載置スペースに制限されることなく使用可能となり、例えば、介護を要する老齢者や、乳幼児の局部洗浄などに使用する場合に、衛生洗浄器をベッド脇やベッド上に載置して使用することができる。
【００１９】
貯水部とポンプとは、衛生洗浄器の本体部内に収納し、さらに、前記貯水部内の洗浄水を加熱する加熱手段を配設することが好ましい。なお、通常の洗浄水温度としては40℃が適温であるが、35〜50℃の範囲で温度調節可能としておくとよい。
【００２０】
また、前記加熱手段としては電気ヒータを用いることとし、同ヒータへの通電は、家庭用AC電源と接続する着脱自在の電源コードを介して行う。
【００２１】
そして、同コードによりAC電源と接続している間に充電可能な充電器を本体部内に配設しておくことができ、かかる構成とすればAC電源の無い場所での使用も可能となるので使い勝手が向上する。
【００２２】
また、本体部には、前記ポンプを介して洗浄水を噴出するノズル部を着脱自在に装着するノズル装着部と、前記ポンプの作動スイッチを設けている。
【００２３】
他方、前記ノズル部内には洗浄水通路を形成し、同通路内に開閉弁を配設するとともに、同開閉弁を作動させるレバーを設けてノズル部をガンタイプとして使い勝手を向上させている。そして、かかるノズル部と前記ポンプとは適宜長さに設定した洗浄水ホースを介して連通連結している。
【００２４】
また、前記ノズル装着部は、本体部の外側面に、ノズル部の先端に形成した噴出口を前記貯水部内に向けて挿入可能としたノズル挿入孔と、同挿入孔に前記ノズルの噴出口を挿入した装着姿勢において前記レバーを開弁作動位置で保持するレバー保持部とを具備する構成としている。
【００２５】
本衛生洗浄器を横臥した状態の老齢者や乳幼児に使用する場合、先ず、作動スイッチをＯＮさせると、ノズル装着部に装着されているノズル部のレバーは開弁作動位置に保持されているので、まず、洗浄水ホース及びノズル部内に溜まっている加熱されていない洗浄水が貯水部内に捨水される。
【００２６】
それからノズル部をノズル装着部から外してレバーを操作すると、洗浄開始時点から適温に加熱された洗浄水をノズル部から噴出することができる。
【００２７】
また、ノズル部は、洗浄水を霧状あるいはシャワー状に噴出可能としており、いずれかのみの噴出形態としてもよいし、あるいは両者を選択できる切替操作部を設けてもよく、さらには、霧状、シャワー状に加え、直線状に噴出させることができる構成の切替操作部としてもよい。
【００２８】
洗浄水を霧状あるいはシャワー状に噴出させた場合は、少ない洗浄水で近距離から広範囲の洗浄が可能となり、使用対象者の下半身部にオムツ等を広げておけば、同オムツの吸水限度内で十分な局部洗浄が可能となる。
【００２９】
このように、本発明に係る衛生洗浄器はコンパクトなので使用個所の制限が殆どなく、また、洗浄開始から温水が使用できるので、これを寝たきり老人や乳幼児の局部洗浄に用いれば、被洗浄者にとって心地好く、また、洗浄水を霧状あるいはシャワー状に噴出できるので洗浄範囲が広く、かつ、汚れた個所を濡れタオルなどで拭うのに比べて衛生的に洗浄することができる。
【００３０】
なお、局部のみならず、身体のいたるところの洗浄が可能なので、寝たきりの老人介護用器具として有益であるとともに、洗浄により局部を清潔に保つことができるので、乳児などであれば、オムツかぶれを防止することができる。
【００３１】
【実施例】
本発明の実施例を、図面を参照しながら以下に具体的に説明する。
【００３２】
図１に示すように、本実施例に係る衛生洗浄器Ａは、一定量の洗浄水を収容する本体部１と、洗浄水を噴出して局部等の洗浄を行う洗浄部２とからなり、本体部１にアーチ状の把手３を設けて携行可能としたコンパクトな構成としている。
【００３３】
30は把手３を本体部１に回動自在に取付けた連結部である。
【００３４】
４は洗浄部２のノズル部であり、本体部１とホース５を介して連通連結している。また、６は本体部１の上部に開閉自在に取付けた蓋体、７は同蓋体６の上面に設けた操作部、1aは本体部１の側面に設けた水位計である。
【００３５】
以下、上記本体部１及び洗浄部２の構成について詳述する。
【００３６】
本体部１は、図２に示すように、上部開口の筒状に形成されており、その内部に洗浄水を略１リットル貯溜可能な貯水部としての貯水タンク10を収納配設しており、洗浄水の残量は前記水位計1aにより本体部１の外から視認できるようにしている。
【００３７】
同貯水タンク10の底面には加熱手段としてヒータＨを取付けて貯水タンク10内の洗浄水を加熱可能とするとともに、ヒータＨの回路に、バイメタルで構成した上限温度を検出する温度センサS1と下限温度とを検出する温度センサS2とを接続して、35〜50℃の範囲で水温調節可能としている。
【００３８】
また、貯水タンク10の周側面に蓄熱材Ｋを貼設しており、加熱された洗浄水を冷めにくくしている。
【００３９】
すなわち、ヒータＨにより加熱する際の熱量を蓄熱材Ｋに蓄え、ヒータＨの通電が終了した後は、蓄えた熱により保温可能としたものである。かかる蓄熱材Ｋとしては、例えば、酢酸ナトリム、リン酸ナトリウム等の無機系のものや有機系のもの等があるが、これらのうちから、融点が30〜60℃程度のものを好適に用いることができる。
【００４０】
かかる蓄熱材Ｋを設けたことにより、洗浄水の適温が長時間保たれるので、本衛生洗浄器Ａを外出先に携行し、例えば、連れている乳幼児のオムツ替えなどに有効に用いることができる。特に、自動車や電車などで長距離移動する場合には有用である。
【００４１】
また、貯水タンク10の下方に機能部収納空間Ｑを形成し、同機能部収納空間Ｑには、前記貯水タンク10に連通連結して前記ノズル部４にホース５を介して洗浄水を圧送するポンプＰを前記ヒータＨと可及的に離隔した状態で配設している。
【００４２】
11は貯水タンク10の下部に設けた洗浄水流出口、P1はポンプ入口、P2はポンプ出口、ＭはポンプＰの駆動モータである。
【００４３】
さらに、前記ポンプＰの両側には、図３に示すように、前記ポンプＰへ給電する蓄電池Ｂと、同蓄電池Ｂを充電するための充電部Ｃをそれぞれ配設するとともに、本体部１の周面下部には、前記ヒータＨ及び蓄電池Ｂへの給電口Ｄを配設している（図２参照）。
【００４４】
８は電源コードであり、一端に前記給電口Ｄに着脱自在としたマグネットプラグ80を備え、他端にはAC電源となる家庭用コンセント（図示せず）に対応するプラグ81を備えている。
【００４５】
また、前記した本体部１の上部に開閉自在に取付けた蓋体６は、図２及び図４に示すように、本体部１に設けた枢支部12に軸支して開閉自在となし、閉蓋時には、図示しないロック機構によりロック可能としている。
【００４６】
また、本衛生洗浄器Ａの操作部７は、図４に示すように、本体部１の前記枢支部12と対向する側に、外方へ膨出する膨出部13を形成し、同膨出部13の上面に設けている。
【００４７】
すなわち、膨出部13の中央位置に形成した凹部13a を挟んで左側にポンプＰの駆動・停止を行う作動スイッチ71とポンプ駆動時に点灯する表示ランプ72を設けるとともに、凹部13a の右側に洗浄水温度を低・中・高の３段階で設定可能とした温度設定スイッチ73と、ヒータＨのオン・オフ表示ランプ74と、洗浄水の温度表示ランプ75とを設けている。76は蓋体６のロック解除ボタンである。
【００４８】
なお、本実施例では、温度設定スイッチ73をプッシュ式として、プッシュ回数で低温、中温、高温と設定するようにしているが、そのスイッチ構造は特に限定するものではない。
【００４９】
ここで、本衛生洗浄器Ａの電気回路を図５を参照しながら説明すると、給電口Ｄに蓄電池ＢとヒータＨに接続した入力端子D1を設けており、ポンプＰの駆動モータＭと蓄電池Ｂと作動スイッチ71とを直列に接続し、同作動スイッチ71の操作でポンプＰの駆動・停止を行わせている。
【００５０】
そして、充電部Ｃに設けたトランスＴの一次側を前記入力端子D1に接続し、同一次側とヒータＨとを接続し、さらに、トランスＴの二次側を蓄電池Ｂの所定充電電圧に落とすようにして、ダイオード整流器77により半波整流している。
【００５１】
かかる構成により、電源コード８のマグネットプラグ80を給電口Ｄに、プラグ81をコンセントに差し込むと、ヒータＨと蓄電池Ｂに通電され、洗浄水は適温まで加熱されるとともに、蓄電池Ｂには充電電流が流れることになり、ヒータＨを加熱すると同時に充電することができる。
【００５２】
したがって、本衛生洗浄器Ａは、使用する場所にコンセントが無くても蓄電池Ｂの電力により使用することができる。
【００５３】
また、本洗浄装置Ａは、洗浄水の温度が一定値以上に上昇するとポンプＰの作動を禁止する制御手段としてポンプ制御装置Ｅを備えており、同ポンプ制御装置Ｅと貯水タンク10に取付けた異常温度検出センサS3及びポンプＰの駆動モータＭの回路に設けた開閉スイッチ78とを電気的に接続している。
【００５４】
すなわち、異常温度検出センサS3が前述した温度センサS1,S2 による温度制御範囲を越えた洗浄水温度を検出すると、その検出値に基づき、ポンプ制御装置Ｅは前記開閉スイッチ78を切ってポンプＰの駆動を禁止するもので、ノズル部４から熱湯等を誤って噴出させたりすることを防止している。したがって、外部で湯を沸かしたものを直接貯水部10に入れた場合などに、その湯が一定値を越えた温度の熱湯であればポンプＰは作動スイッチ71をオンしても駆動せず、熱湯が噴出して火傷したりするおそれがない。
【００５５】
あるいは、前述した温度センサS1,S2 が何らかの理由で故障した場合に水温が著しく上昇しても、異常温度検出センサS3がこれを検出してポンプ制御装置Ｅに検出信号を出力するのでやはりポンプＰは駆動しないので安全である。
【００５６】
また、かかるポンプ制御装置Ｅを、本実施例ではヒータＨの回路中に配設しており、ヒータＨに通電中はポンプＰの作動を禁止するようにしている。
【００５７】
したがって、交流電源から給電中、すなわち、洗浄水を加熱しながら蓄電池Ｂに充電している際にはポンプＰは駆動することがないので感電事故などを未然に防止することができる。
【００５８】
次に、洗浄部２について説明する。
【００５９】
洗浄部２は、本体部１のポンプＰとノズル部４とをホース５を介して連通連結して構成しており、ノズル部４は、図６に示すように、グリップ部40を有するピストル状に形成するとともに、内部に洗浄水通路Ｒを形成し、同洗浄水通路Ｒ中に弁孔42を形成し、さらに、同弁孔42に離接自在とした弁体43を配設し、スプリング41により同弁体43を閉弁方向に付勢して開閉弁Ｊを構成している。
【００６０】
そして、ノズル部４に弁体43を開弁方向に作動させる引き金式レバー44を連設している。44a はレバー44の取付軸である。
【００６１】
ノズル部４の上部前端から、前記洗浄水通路Ｒに基端を連通連結し、先端に噴出口4aを形成したノズル体45を伸延し、同ノズル体45の外周面に内周面を螺合させた噴出形態変更機構46を取付けて、洗浄水を霧状、シャワー状、直線状に切替可能としている。なお、47はレバーストッパーであり、レバー44を指で押さなくても、同ストッパー47をレバー44に係合すれば、レバー44を開弁状態に保持可能としている。
【００６２】
ここで、上記構成のノズル部４を本体部１に装着するノズル装着部９について説明する。
【００６３】
本実施例に係るノズル装着部９は、前述した蓋部６と操作部７とにかけて構成している。
【００６４】
すなわち、図２及び図４に示すように、ノズル装着部９は、蓋体６を一定の厚みをもたせて形成するとともに、中央部に円状凹部60を形成し、同円状凹部60の中心に形成したノズル挿入孔61に前記ノズル部４の先端に形成した噴出口4aを前記貯水タンク10内に向けて挿入したときに同噴出口4aと貯水タンク10とが連通する状態でノズル部４を保持可能とし、しかも、かかる保持姿勢においては、円状凹部60の凹面60a がノズル部４のレバー44を押圧して開弁作動位置で保持するレバー保持部として機能するようにしている。
【００６５】
また、ノズル挿入孔61の深さと前記ノズル体45の長さとを合わせるとともに、ノズル挿入孔61の先端部内径を漸次縮径してノズル体45の先端形状と対応させており、ノズル体45を付け根まで挿入すると噴出口4aがノズル挿入孔61の下端開口に臨む状態でノズル部４自体が保持される構造としている。62はノズル挿入孔61の内壁に形成したノズル支持片である。
【００６６】
このときに、本実施例では、ノズル部４から伸延するホース５を本体部１に形成した膨出部13の凹部13a 内を通すようにしており、しかも、ホース５をコイル状に形成しているので、使用時には必要長さまで伸長させながら、ノズル部４の装着時には、ホース５を本体部１の高さ範囲内で収めることができる。
【００６７】
また、本実施例に係るノズル装着部９は、図７に示すように、ノズル部４の噴出口4aを洗浄対象に向けた状態でも保持可能としており、ノズル部４を本体部１に保持させながら洗浄水を噴出して、両手で洗浄作業を行う所謂ハンズフリーでの使用を可能としている。
【００６８】
すなわち、図８に示すように、本体部１の膨出部13に形成した凹部13a の幅をノズル部４のグリップ部40を挿通可能な幅に形成するとともに、グリップ部40の左右側面に、それぞれ枢支用短軸48と位置決め用凸部49を設ける一方、これらに対応するように、前記凹部13a の左右壁面に枢支用縦長凹部91と複数の位置決め用凹部92をそれぞれ設け、枢支用短軸48を枢支用縦長凹部91に合わせてグリップ部40を凹部13a 内に挿入し、位置決め用凸部49と位置決め用凹部92との係合によりノズル部４を保持可能としている。そして、位置決め用凸部49を複数の位置決め用凹部92に選択的に係合させることにより、洗浄水の噴出角度を所望の角度に合わせることができるようにしている。
【００６９】
なお、以上説明してきたノズル装着部９、及び、少なくとも前述したノズル部４の噴出形態変更機構46については、衛生上、抗菌樹脂により成形することが好ましい。
【００７０】
本実施例に係る衛生洗浄器Ａは上記してきた構成であり、これを実際に使用する場合について以下に説明する。
【００７１】
使用に際し、予め、本体部１と家庭用コンセントとを電源コード８を接続しておき、蓄電池Ｂを充電しておくとともに、貯水タンク10内の洗浄水をヒータＨにより適温に加熱しておく。
【００７２】
そして、例えば洗浄対象が介護を要する老齢者や乳幼児であって、使用場所が異なる場合は前記電源コード８を外し、本衛生洗浄器Ａを必要場所に移動し、使用に際して、先ず、作動スイッチ71をオンしてポンプＰを作動させる。このとき、図１、図２に示すように、ノズル部４はレバー44が開弁作動位置の状態でノズル装着部９に保持されているので、ホース５及びノズル部４内の冷たい滞留水がノズル部４の噴出口4aより貯水タンク10内に捨水される。
【００７３】
使用者がノズル部４を持ち上げると、レバー44が閉弁位置に復帰するので捨水は停まり、その後、洗浄対象に向けて使用者がレバー44を引くと、ヒータＨにより適温に温められた温水が噴出する。
【００７４】
通常はシャワー状又は霧状に噴出するようにしているので、局部の洗浄であれば、洗浄対象の下に敷いたオムツ等が十分吸水できるだけの少ない吐水量で広い範囲の洗浄が可能となる。
【００７５】
しかも、肌に優しい温水を使用することができるので、洗浄者に不快感を与えるとがなく、また、乳幼児であればオムツかぶれなどを防止することができる。
【００７６】
また、この洗浄作業にあっては、図７で示したように、ハンズフリーの状態として使用することができるので、丹念な洗浄を行え、汚れを確実に落とすことができる。
【００７７】
以上説明してきたように、本衛生洗浄器Ａはコンパクトな構成で携行自在であり、ポンプＰの動力源を蓄電池Ｂにより行うようにしているので、洗浄を行う場所の制限がなく、ベッド上であってもあるいは移動する自動車の中等であっても使用可能である。
【００７８】
また、本衛生洗浄器Ａの洗浄対象は局部のみに限るものではないので、例えば手足やその他身体の一部の洗浄を行う簡易シャワーとして、汎用的な利用が可能である。
【００７９】
さらに、洗浄対象は人体でなくともよく、例えばペット等に適用することもできる。
【００８０】
ところで、洗浄に際して、前記電源コード８は必ずしも外した状態でなければならないということはなく、コンセントに接続した状態であってもよい。
【００８１】
また他の実施例として、例えば交流電源に通電中、すなわち、充電・加熱中においては感電防止のためにポンプＰが駆動しないように構成することもでき、使用に際しては必ず電源コード８を外して使用するようにしてもよい。
【００８２】
さらに、本実施例においてはヒータＨを具備する構成としたが、本発明に係る衛生洗浄器Ａは、必ずしもヒータＨを備える必要はなく、例えば、貯水部10を保温ポットと同様な構成として保温機能をもたせ、外部で沸かした温湯を貯水タンク10内に移し替えて使用することもできる。
【００８３】
また、捨水は、必ずしもノズル部４をノズル装着部９に装着した状態で行う必要はなく、ノズル部４をノズル装着部９から外した後にポンプＰを作動させ、噴出口4aを蓋体６に設けた円状凹部60に向けてレバー44を操作して洗浄水を噴出して捨水してもよい。この場合、吐水形態は直線状としてノズル挿入孔61に向けて噴出することが好ましいが、本実施例では、噴出された捨水用の洗浄水が円状凹部60からはみ出したりしないように円状開口60を広めに形成している。
【００８４】
次に、衛生面を考慮した他の実施例として、図９〜図１２に示した衛生洗浄器A'について説明する。なお、以下の説明外の構成は先の実施例と同様とし、同一構成要素については同一符号を用いている。
【００８５】
本衛生洗浄器A'は、図９に示すように、噴出形態変更機構46を装着したアダプタ50をノズル部４のノズル体45に着脱自在に取付けたもので、ノズル部４をノズル装着部９に装着する場合は、図１０に示すように、アダプタ50を取り外した状態でノズル体45をノズル挿入孔61内に挿入して装着保持するようにしている。
【００８６】
すなわち、洗浄を行う場合、どうしてもノズル部４の前側には洗浄水の跳ね返りが付着しやすいものなので、使用後にノズル部４を本体部１に装着する場合はノズル部４の前側に位置するアダプタ50を取り外すようにしたものである。取り外したアダプタ50は適宜の方法で表面を清浄して次回の使用に供すればよい。
【００８７】
なお、アダプタ50とノズル体45との着脱は、本実施例ではノズル体45の前側外周面に雄ねじ部45a を形成するとともに、アダプタ50の内周面に雌ねじ部50a を形成することにより可能としているが、かかる螺合式に限らず、例えば嵌合式であってもよい。
【００８８】
また、取り外したアダプタ50は、図１１に示すように、本体部１の外周面にポケット15を設け、同ポケット15内に収納しておくようにすれば紛失したりするおそれがない。さらに、前記ポケット15内に殺菌液や殺菌剤などを収容しておいてもよい。
【００８９】
さらに他の実施例として、図１２に示した衛生洗浄器A'' を説明する。なお、以下の説明外の構成は先の実施例と同様とし、同一構成要素については同一符号を用いている。
【００９０】
本衛生洗浄器A'' は、ポンプＰの下流側にホース内圧力検出部Ｆを設けるとともに、同ホース内圧力検出部ＦとポンプＰの駆動モータＭの回路に設けた開閉スイッチ79とを電気的に接続し、さらに、ポンプＰの上流側に逆止弁Ｖを設けたもので、前記ホース内圧力検出部Ｆがノズル部４からの噴出圧以上となれば開閉スイッチ79を開いてポンプＰを自動停止させるようにしたものである。ホース内圧力検出部Ｆとしては、例えば、アキュムレータを具備するものとして、洗浄水の圧力の変化を空気圧で検出するような構成が考えられる。
【００９１】
かかる構成とすることにより、ノズル部４から洗浄液を吐出しているとき以外はポンプＰを自動的に停止させておくことができ、駆動モータＭの焼き付きや無駄な電力消費を防止することができる。
【００９２】
また、本実施例では、トランスＴの一側のショートや異常電圧からヒータＨを保護するために、ヒータＨをトランスＴの二次側に接続している。
【００９３】
以上、各実施例を通して本発明を説明してきたが、本発明に係る衛生洗浄器の形状等は上記各実施例に限定されるものではなく、例えば本体部１は略角型としてもよく、また、ノズル装着部９を本体部１の上面に設けることなく、本体部１の周側面に設けてもよい。さらに、ホース５はコイル状でなくストレートな形状であってもよい。
【００９４】
また、使用する洗浄水としては水や湯に限らず、薬液などであってもよい。
【００９５】
さらに、例えば、ハンズフリーで洗浄可能な構成の一実施例として、本体部１にポンプＰと連通する接続口16を設け、同接続口16に前記してきたノズル部４を接続金具17を介して着脱自在に取付けるとともに、図１３に示すように、必要に応じてホース部分をフレキシブル管5aとしたノズル部4'と差し替え自在とすることもできる。この場合でも、ノズル部4'の噴出口4'a をノズル挿入孔61に挿入して捨水することは可能である。なお、接続口16の位置は図示したように蓋体６上ではなく、本体部１の周側面であってもよい。
【００９６】
【発明の効果】
本発明は上記のような形態で実施されるもので、以下の効果を奏する。
【００９８】
（１）請求項１に係る本発明では、洗浄水を貯水する貯水部と、洗浄水を加熱する加熱手段と、前記貯水部に連通連結するポンプと、同ポンプを介して洗浄水を噴出するノズル部を着脱自在に装着するノズル装着部と、前記ポンプの作動スイッチとを具備する衛生洗浄装置であって、前記ノズル部内に洗浄水通路を形成し、同洗浄水通路内に開閉弁を配設するとともに、同開閉弁を作動させるレバーを設け、前記ノズル装着部には、ノズル部の先端に形成した噴出口を前記貯水部内に向けて挿入可能としたノズル挿入孔と、同ノズル挿入孔に前記噴出口を挿入した装着姿勢において前記レバーを開弁作動位置で保持するレバー保持部とを設けたことにより、構成がコンパクトとなり、載置スペースに制限されることなく使用可能となる。
【００９９】
また、適温に温められた肌にやさしい温水で局部洗浄が可能となり、介護を要する老齢者や乳幼児の局部洗浄などに適するとともに、冬場であっても安心して使用することができる。
【０１００】
しかも、ノズル部内の加熱されていない洗浄水は、使用前に予め貯水部内に捨水することができるので、使い始めから適温の洗浄水を使用することができる。
【０１０１】
（２）請求項２に係る本発明では、前記ノズル部は、洗浄水を霧状あるいはシャワー状に噴出可能としたことにより、少ない洗浄水で近距離から広範囲の洗浄が可能となり、例えば、オムツ等を洗浄対象の下方に敷いておけばこれの吸水限度内で十分な局部洗浄が可能となる。
【図面の簡単な説明】
【図１】本発明に係る衛生洗浄器の斜視図である。
【図２】同衛生洗浄器の断面図である。
【図３】同衛生洗浄器の底面図である。
【図４】同衛生洗浄器の平面図である。
【図５】同衛生洗浄器の回路説明図である。
【図６】同衛生洗浄器のノズル部の断面図である。
【図７】同衛生洗浄器の使用状態を示す説明図である。
【図８】同衛生洗浄器のノズル装着部を示す説明図である。
【図９】他の実施例に係る衛生洗浄器のノズル部の断面図である。
【図１０】同他の実施例に係る衛生洗浄器のノズル部装着状態を示す説明図である。
【図１１】同他の実施例に係る衛生洗浄器の斜視図である。
【図１２】他の実施例に係る衛生洗浄器の説明図である。
【図１３】ノズル装着部の一実施例を示す説明図である。
【符号の説明】
A,A',A''  衛生洗浄器
Ｈ  加熱手段（ヒータ）
Ｐ  ポンプ
Ｒ  洗浄水通路
１  本体部
４  ノズル部
4a  噴出口
９  ノズル装着部
10  貯水部（貯水タンク）
44  レバー
60a レバー保持部（凹面）
61  ノズル挿入孔
71  作動スイッチ
【図１】
0003816617.tif 000002
【図２】
0003816617.tif 000003
【図３】
0003816617.tif 000004
【図４】
0003816617.tif 000005
【図５】
0003816617.tif 000006
【図６】
0003816617.tif 000007
【図７】
0003816617.tif 000008
【図８】
0003816617.tif 000009
【図９】
0003816617.tif 000010
【図１０】
0003816617.tif 000011
【図１１】
0003816617.tif 000012
【図１２】
0003816617.tif 000013
【図１３】
0003816617.tif 000014